(57)【要約】【課題】床下での接合作業をなくし、床板を施工後床上に管体の管端部を引出して床上で継手と接合し、しかも継手を床下に押し下げた時に管体を床下の基礎スラブに支持されるか少し間隙を持って収めることができる配管施工方法を提供する。【解決手段】基礎スラブ上に配管した管体を立ち上げ位置において上方に屈曲させて管端部と床板との間に継手長さ以上の間隔を有するように立ち上げ、その管端部に継手外径より小径の細長い引出治具を取り付けておき、床板施工時に床板に設けられた配管挿通孔に引出治具を挿通し、床板施工後に引出治具を引出して管体の端部を継手に接合し、継手を押し下げて床板面に固定することを特徴とする給水給湯管の配管施工方法。【選択図】  図１
2006177534.tif 000002
【特許請求の範囲】
【請求項１】
給水機器や給湯機器からの可撓性を有する給水管や給湯管等の管体を、床板を施工する前に、家屋床下に配管しておき、床板を施工後に前記管体の管端部を給水栓や給湯栓への立ち上げ位置において、床板に取り付けられる継手に接続する配管施工方法において、前記管体を、立ち上げ位置において上方に屈曲させて管端部と床板との間に継手長さ以上の間隔を有するように立ち上げ、その管端部に継手外径より小径の細長い引出治具を取り付けておき、床板施工時に床板に設けられた管体挿通孔に引出治具を挿通し、床板施工後に引出治具を引出して管体の端部を継手に接合し、継手を押し下げて床板面に固定することを特徴とする給水給湯管の配管施工方法。
【請求項２】
可撓性を有する給水管や給湯管等の管体として、中間層に金属補強層を有する金属層補強樹脂管を使用する請求項１記載の給水給湯管の配管施工方法。
【請求項３】
請求項１記載の給水給湯管の配管施工方法に使用する引出治具であって、細長い引出治具本体の一端部に前記管体の端部内面にねじ込み可能なテーパー雄ねじが設けられ、この雄ねじの近辺に前記管体の管端部に前記テーパー雄ねじをねじ込むねじ込み用凸部が形成されていることを特徴とする引出治具。
【発明の詳細な説明】
【技術分野】
【０００１】
本発明は、給水機器や給湯機器からの可撓性を有する給水管や給湯管等の管体の配管施工方法およびこの配管施工方法に使用する引出治具に関する。
【背景技術】
【０００２】
従来、給水機器や給湯機器から給水栓や給湯栓までの給水管や給湯管等の管体は、家屋の床板を設置する前に可撓性を有する給水管や給湯管等の管体を基礎スラブ上に配管しておき、床上から給水栓や給湯栓まで配管する別の給水管や給湯管等の管体を接合可能な継手が取り付けられた床板を施工した後に、作業者が床下に入り、予め配管されている管体の管端部を床板に取り付けられている継手に接合して施工することが多かった。
しかし、床下での作業は狭くて作業姿勢が悪く力が入りにくいため、管端部の継手への挿入が不充分で漏水のおそれがあった。また、暗い床下での作業となるため接合状態の確認が不充分となり、継手が管端部と継手との接合状態を確認できる構造のものであっても確認が不充分で漏水を起すことがあった。
【０００３】
また、床下での作業を避けるために、予め配管する管体を床板に設けた管体挿通孔を通して床上まで配管可能な長さとし、床板を設置するときに管体の端部を床板に設けた管体挿通孔に通して床上まで引出しておき、床板の施工後に、床上で管体の管端部に継手を接合して継手を孔内へ押し下げて床板表面に継手のフランジをねじ止めすることも行なわれている。
しかし、この方法においては、管体の端部に継手を接合した後、継手を床下に押し下げようとしても管体が床下の基礎スラブから立ち上げられているため、立ち上げられた管体が基礎スラブに支持されて継手が床面まで押し下げられず、継手を床板に固定できないという不都合の生じることがあった。
この場合、無理に押し下げると管体が座屈するおそれがあった。また、座屈しない場合でも応力が掛かった状態となり、クリープ破壊のおそれがあった。
【０００４】
尚、上記床上で管体の管端部に継手を接合する場合、床下に押し下げられる継手長さを予測して管体の管端部を切断して床下に収まるよう調整することも考えられるが、床下での配管状態により一旦引出した管体を押し下げると配管状態が変わるので、床上から継手を接合する管体の管端部位置を正確に予測することができないという問題点があった。
【発明の開示】
【発明が解決しようとする課題】
【０００５】
本発明は、上記従来の配管施工方法における問題点を改善した施工方法を提案するものであり、床下での接合作業をなくし、床板を施工後床上に管体の管端部を引出して床上で継手と接合し、しかも継手を床下に押し下げた時に管体が床下の基礎スラブに支持され、管体を無理して押し下げる必要がない配管施工方法を提供するものである。
【課題を解決するための手段】
【０００６】
請求項１記載の給水給湯管の配管施工方法は、給水機器や給湯機器からの可撓性を有する給水管や給湯管等の管体を、床板を施工する前に、家屋床下に配管しておき、床板を施工後に前記管体の管端部を給水栓や給湯栓への立ち上げ位置において、床板に取り付けられる継手に接続する配管施工方法において、前記管体を、立ち上げ位置において上方に屈曲させて管端部と床板との間に継手長さ以上の間隔を有するように立ち上げ、その管端部に継手外径より小径の細長い引出治具を取り付けておき、床板施工時に床板に設けられた管体挿通孔に引出治具を挿通し、床板施工後に引出治具を引出して配管の端部を継手に接合し、継手を押し下げて床板面に固定することを特徴とする。
【０００７】
また、請求項２記載の給水給湯管の配管施工方法は、請求項１記載の給水給湯管の配管施工方法において、可撓性を有する給水管や給湯管等の管体として、中間層に金属補強層を有する金属層補強樹脂管を使用するものである。
【０００８】
また、請求項３記載の引出治具は、請求項１はたは２記載の給水給湯管の配管施工方法に使用する引出治具であって、細長い引出治具本体の一端部に前記管体の管端部内面にねじ込み可能なテーパー雄ねじが設けられ、この雄ねじの近辺に前記管体の管端部に前記テーパー雄ねじをねじ込むねじ込み用凸部が形成されていることを特徴とするものである。
【発明の効果】
【０００９】
本発明の請求項１記載の給水給湯管の配管施工方法は、給水栓や給湯栓への立ち上げ位置において、床下に配管された給水管や給湯管等の管体を、立ち上げ位置において上方に屈曲させて管端部と床板との間に継手長さ以上の間隔を有するように立ち上げ、その管端部に継手外径より小径の細長い引出治具を取り付けておき、床板施工時に床板に設けられた管体挿通孔に引出治具を挿通し、床板施工後に引出治具を引出して管体の端部を継手に接合し、継手を押し下げて床板面に固定するようにしているので、管体の管端部を床上で継手と接合でき、接合作業を良好な作業条件の下で行うことができ、正確な接合とその確認を行うことができる。
更に、引出治具により継手を床下にちょうど収まる位置もしくは管体が基礎スラブに当接しない位置となるように接合でき、継手を床下に押し下げた時、管体が基礎スラブに支持された位置か少し間隔をおいて継手を床板に固定することができ、管体が無理に押し下げられて座屈することなく、適正な配管ができる。
【００１０】
また、請求項２記載の給水給湯管の配管施工方法は、可撓性を有する給水管や給湯管等の管体として、中間層に金属補強層を有する金属層補強樹脂管を使用するので、屈曲させて基礎スラブに支持させた状態で上方に屈曲した状態を維持することができ、より確実に引出治具を床板の管体挿通孔に配置することができる。
【００１１】
また、請求項３記載の引出治具は、細長い引出治具本体の一端部に前記管体の端部内面にねじ込み可能なテーパー雄ねじが設けられ、この雄ねじの近辺に前記管体の管端部に前記テーパー雄ねじをねじ込むねじ込み用凸部が形成されているので、床下に配管した管体の端部に引出治具を簡単かつ確実に取り付けることができる。  
【発明を実施するための最良の形態】
【００１２】
以下、本発明を実施するための最良の形態を図面に示す実施例に基づいて説明する。
図１は本発明の給水給湯管の配管施工方法の実施形態を説明するための床下での配管状態を示す縦断面図、第２図は管体の管端部に接合された継手の床板への取り付け状態を一部断面で示す側面図、第３図は引出治具の一例を示し、（イ）は一部を省略して示す正面図、（ロ）は側面図である。
【００１３】
図１で、１は家屋の基礎スラブ、２は床板、３は基礎スラブ１上に配管された可撓性を有する給水管や給湯管等の管体、４は引出治具である。
管体３は可撓性を有する給水管や給湯管等の管体で、床板２を施工する前に家屋床下の基礎スラブ１上に沿って給水機器や給湯機器の設置される位置から給水栓や給湯栓の設置される位置まで配管される。これらの管体３は給水栓や給湯栓が設置される位置において床板２を貫通して立ち上げられるが、家屋の建設に当たっては、まず、基礎スラブ１上面に沿って給水機器や給湯機器の設置される位置から給水栓や給湯栓の設置される位置まで配管され、給水栓や給湯栓の設置される位置で屈曲して上方に立ち上げられる。この時の屈曲の角度は管体３の断面形状が変形しない程度の半径で曲げられる。
【００１４】
この管体３の管端部は設置される床板２の上面との間に継手の長さと以上の間隔をおいて切断され、この管体３の管端部には引出治具４が取り付けられる。
この引出治具４は図３に示されるように、細長い引出治具本体４１の一端部にテーパー雄ねじ４２が形成され、このテーパー雄ねじ４２の近辺に管体３の管端部にテーパー雄ねじ４２をねじ込むねじ込み用凸部４３が形成されている。このねじ込み用凸部４３は引出治具４のテーパー雄ねじ４２を管体３の管端部内面にねじ込んで取り付けるために、引出治具を回動させる時の指の取っ掛かりとなるものであればよく、図示されるように一対の小片凸部が設けられていればよい。
また、引出治具本体４１は軽量であるのが好ましく、管状体で、しかも塩化ビニル樹脂やポリエチレン等の合成樹脂製とするのが良い。テーパー雄ねじ４２とねじ込み用凸部４３とは金属製例えば砲金製管状体の外面に形成され、この金属製管状体が引出治具本体４１の端部に嵌合されて引出治具４が形成されている。テーパー雄ねじ４２は管端部内面にねじ込み易いように鋭角なねじ山となされているのが好ましい。
尚、４４は引出治具本体４１の他端部に設けられるキャップである。
【００１５】
そして、設置される床板２には給水栓や給湯栓の設置される位置に配管立ち上げ用の管体挿通孔２１が設けられており、管体３の端部に取り付けられている引出治具４をキャップ４４側からこの管体挿通孔２１に挿通させた状態で床板２が施工される。
管体３はその管端部が給水栓や給湯栓の設置される位置で立ち上がるよう屈曲され、その位置の床板２に設けられた管体挿通孔２１に、屈曲して立ち上げられた管端部に取り付けられた引出治具４が挿通されることにより、管体３の管端部は床板の所定位置に立ち上げられることになる。
【００１６】
そして、このようにして配管された管体３の管端部には、継手が接合される。床板２上に端部が突出している引出治具４を床板２の上方に引出し、床板２上で管体３の管端部からねじ込み状態を解いて引出治具４を取外して管端部に継手５を接合する。
そして、この継手は床板２に固定される。
給水栓や給湯栓に配管する時には、この継手に給水栓や給湯栓に配管する別の管体を接合して配管される。
管体３の管端部に継手５を接合して、この継手を床板に取り付けた状態を図２により説明する。
【００１７】
図２において、継手５は管体３の管端部を接合する透明な外筒６２を有するソケット継手６と床板２への取り付けフランジ７１を有するフランジ継手７とからなり、ソケット継手６とフランジ継手７とは螺合５１して継手５が形成されている。
【００１８】
ソケット継手６は管継手本体通水筒部６１の外周に透明な外筒６２が環状間隙を設けて螺合６３して組み立てられ、この外筒６２の端部側には袋ナット６４が継手本体通水筒部６１の外周に環状間隙を設けて螺合６５して組み立てられている。
外筒６２の端部内面には抜け止めリング６６が袋ナット６４との間に取り付けられている。この抜け止めリング６６は周の１ヶ所が切断されていて拡径可能となされ、内周には奥側に傾斜した周方向の食い込み突条が設けられている。
また、袋ナット６４の端部内面は端面側が縮径されたテーパー面となされていて抜け止めリング６６が袋ナット６４から抜け出そうとすると、抜け止めリング６６がテーパー面で縮径されて管が抜け出すのが防止される。
６７は継手本体通水筒部６１の中間位置の外周に設けられたパッキンである。
【００１９】
このソケット継手６の環状間隙に管体３の管端部を差し込むと管外周面で抜け止めリングを拡径し、管内周面でパッキン６７を圧縮しながら嵌合し、環状間隙の奥部まで管端部が挿入されたことを透明な外筒６２を通して確認されたら、接合は完了する。
挿入された管端部はパッキン６７により水密に接合され、また、管端部にソケット継手６から抜ける方向の力が作用すると、抜け止めリング６６が作用して管の抜け出しが防止される。
【００２０】
また、フランジ継手７はソケット継手６を床板２に固定するものであって、床上に引出した管体３の管端部にソケット継手６を接合したら、継手５を床下に押し下げ、フランジ継手７のフランジ７１を床板２の上面に当接し、フランジ７１に設けられたビス孔で床板にねじ止めされる。
【００２１】
床面には管体を接合できる継手が設けられているので、この継手に別の管体を接合して給水栓や給湯栓まで配管すれば室内の給水給湯配管を容易に行なうことができる。
【００２２】
本発明において、可撓性を有する給水管や給湯管等の管体としては、屈曲可能な管体であれば良く、ポリエチレン管、ポリプロピレン管、ポリブチレン管、架橋ポリエチレン管等の合成樹脂管であっても良いが、アルミニウム中間層で補強され、内外の高密度ポリエチレン層が変性ポリエチレンの接着層でアルミニウム中間層に接着された金属層補強樹脂管を使用すると、管体の立ち上げ位置での屈曲状態が維持されるので、所定の配管が行なえる。
また、内層を高耐熱ポリエチレン層とすると、給湯管として高温度の湯を長時間通流させることが可能となる。
【図面の簡単な説明】
【００２３】
【図１】本発明の給水給湯管の配管施工方法の実施形態を説明するための床下での配管状態を示す縦断面図である。
【図２】本発明における管体の管端部に接合された継手の床板への取り付け状態を一部断面で示す側面図である。
【図３】本発明の引出治具の一例を示し、（イ）は一部省略して示す正面図、（ロ）は側面図である。
【符号の説明】
【００２４】
１            家屋の基礎スラブ
２            床板
２１          挿通孔
３            基礎スラブ１上に配管された可撓性を有する管体
４            引出治具
４１          引出治具本体
４２          テーパー雄ねじ  
４３          ねじ込み用凸部
５            継手
６            ソケット継手
７            フランジ継手
【図１】
2006177534.tif 000003
【図２】
2006177534.tif 000004
【図３】
2006177534.tif 000005